(57)【要約】【課題】  パチスロ等の遊技機の扉と本体との着脱が容易、迅速、かつ、確実に行えるとともに、蝶番への組み付け後所定のトルク以上のトルクを与えない限り回動が制限され、遊技機に取り付けた扉の開度が９０度未満の任意の開度においても扉が自重等によって自然に閉鎖する恐れがなく、しかも、所定のトルク以上のトルクを与えるべく力を入れて強制的に扉を閉じない限り、その開度を維持することのできる安全な蝶番を安価に提供する。【解決手段】  断面コ字状の長尺体６の内側上部と下部に、正六角形断面形状で下向きの柱状突出部８ａを有するヒンジ軸８の回動がトルク発生手段によって規制された上部および下部連結用雄部材７、７が設けられた可動側ヒンジ部材２と、断面クランク状の長尺体１０の上部と下部に、柱状突出部の嵌挿を可能とする正六角形断面形状の凹部１１ａを有する上部および下部連結用雌部材１１、１１を有する。【選択図】  図７
2015181700.tif 000002
【特許請求の範囲】
【請求項１】
遊技機の扉に取り付けられる可動側ヒンジ部材と本体に取り付けられる固定側ヒンジ部材が複数のヒンジ機構を備え、
該ヒンジ機構は連結用雄部材と連結用雌部材とからなり、前記連結用雄部材と前記連結用雌部材の連結によって前記可動側ヒンジ部材が前記固定側ヒンジ部材に対し回動可能となり、連結の解除によって前記可動側ヒンジ部材が前記固定側ヒンジ部材から分離されるようになっている蝶番であって、
前記ヒンジ機構の少なくとも一つがトルクヒンジ機構であることを特徴とする蝶番。
【請求項２】
前記トルクヒンジ機構の連結用雄部材を前記可動側ヒンジ部材が、連結用雌部材を前記固定側ヒンジ部材が備え、
前記連結用雄部材は軸心を中心とする９０度以下の回転で重なり合う非円形断面形状の下向きの柱状突出部を有するヒンジ軸と、該ヒンジ軸を設定トルク以上のトルクでその軸心を中心に回動可能とするトルク発生手段を有し、
前記連結用雌部材は前記柱状突出部と連結可能な非円形断面形状の上向きに開口した凹部または上下に貫通する孔部を有していることを特徴とする請求項１記載の蝶番。
【請求項３】
前記トルクヒンジ機構の連結用雌部材を前記可動側ヒンジ部材が、連結用雄部材を前記固定側ヒンジ部材が備え、
前記連結用雌部材は軸心を中心とする９０度以下の回転で重なり合う非円形断面形状の下向きに開口した凹部を有するヒンジ軸と、該ヒンジ軸を設定トルク以上のトルクでその軸心を中心に回動可能とするトルク発生手段を有し、
前記連結用雄部材は前記凹部と連結可能な非円形断面形状の上向きの柱状突出部を有していることを特徴とする請求項１記載の蝶番。
【請求項４】
前記可動側ヒンジ部材と固定側ヒンジ部材が、上部ヒンジ機構と下部ヒンジ機構を備え、
前記上部ヒンジ機構と下部ヒンジ機構の双方が前記トルクヒンジ機構であることを特徴とする請求項１、２または３記載の蝶番。
【請求項５】
前記可動側ヒンジ部材と固定側ヒンジ部材が、上部トルクヒンジ機構と下部トルクヒンジ機構を備え、
一方のトルクヒンジ機構の連結用雄部材を前記可動側ヒンジ部材が、連結用雌部材を前記固定側ヒンジ部材が備え、
前記連結用雄部材は軸心を中心とする９０度以下の回転で重なり合う非円形断面形状の下向きの柱状突出部を有するヒンジ軸と、該ヒンジ軸を設定トルク以上のトルクでその軸心を中心に回動可能とするトルク発生手段を有し、
前記連結用雌部材は前記柱状突出部と連結可能な非円形断面形状の上向きに開口した凹部または上下に貫通する孔部を有しており、
他方のトルクヒンジ機構の連結用雌部材を前記可動側ヒンジ部材が、連結用雄部材を前記固定側ヒンジ部材が備え、
前記連結用雌部材は軸心を中心とする９０度以下の回転で重なり合う非円形断面形状の下向きに開口した凹部を有するヒンジ軸と、該ヒンジ軸を設定トルク以上のトルクでその軸心を中心に回動可能とするトルク発生手段を有し、
前記連結用雄部材は前記凹部と連結可能な非円形断面形状の上向きの柱状突出部を有していることを特徴とする請求項２または３記載の蝶番。
【請求項６】
前記可動側ヒンジ部材と固定側ヒンジ部材が、上部ヒンジ機構と下部ヒンジ機構を備え、
一方のヒンジ機構がトルクヒンジ機構であり、
他方のヒンジ機構はトルクを発生しないヒンジ機構であることを特徴とする請求項１、２または３記載の蝶番。
【請求項７】
前記トルクヒンジ機構のヒンジ軸の非円形断面形状の柱状突出部は、断面形状が正四角形以上の正多角形であることを特徴とする請求項２、４、５または６記載の蝶番。
【請求項８】
前記トルクヒンジ機構のヒンジ軸の非円形断面形状の柱状突出部は、断面形状が正六角形であることを特徴とする請求項７記載の蝶番。
【請求項９】
前記トルクヒンジ機構のヒンジ軸の非円形断面形状の凹部または孔部は、断面形状が正四角形以上の正多角形であることを特徴とする請求項３、４、５または６記載の蝶番。
【請求項１０】
前記トルクヒンジ機構のヒンジ軸の非円形断面形状の凹部または孔部は、断面形状が正六角形であることを特徴とする請求項９記載の蝶番。
【発明の詳細な説明】
【技術分野】
【０００１】
この発明は、例えば、パチンコやパチスロに例示される遊技機の扉を本体（キャビネット等）に取り付けたり取り外したりするのに用いる着脱可能な蝶番に関するものである。
【背景技術】
【０００２】
この発明の発明者等は、パチンコやパチスロ等の遊技機において、前面枠を本体に対し開閉可能とするため、上下にヒンジ軸ピンを有する縦長の可動側ヒンジ部材と上下に軸受孔を持つ軸受部を有する固定側ヒンジ部材とからなり、ヒンジ軸ピンを軸受孔に挿入することで可動側ヒンジ部材と固定側ヒンジ部材を組み付け、軸受孔からヒンジ軸ピンを抜き出すことで可動側ヒンジ部材と固定側ヒンジ部材を分離するようにし、組み付け・分離が容易で、堅固であり、高精度であって、開閉操作がスムーズで安価な蝶番を提案している（特許文献１）。
【先行技術文献】
【特許文献】
【０００３】
【特許文献１】特開２０１３−１４６４４４号公報
【発明の概要】
【発明が解決しようとする課題】
【０００４】
この蝶番を、例えば、パチンコやパチスロのような遊技機（以下においては、パチスロを例に説明する。）に使用した場合、これらの機械においては、前面枠等の扉の上部が後方に傾斜した状態に蝶番を介して本体に取り付けられる。
扉の上部が後方に傾斜して本体に取り付けられていると、扉の開度が９０度未満では、扉は、その自重によって閉じる力が生じ、蝶番の軸線を中心に自然と閉じる方向に回動することになる。
そのため、扉を本体に対する限界開度と設定している９０度またはそれを僅かに超える角度の開度となるようにして、点検や修理等を行うことになるが、このような状態は、扉が非常に不安定で、例えば、従業員等が不注意で誤って扉に接触してしまう等といったような種々の予測しがたい原因で、扉が容易に９０度未満の開度に変わり、作業者が気付かないうちに不意に扉が閉まってくるといった不測の事態となり、作業者に怪我等の危険が生ずることになる。
扉には種々の機器が装着され相当な重量となっていることから、種々の予測しがたい原因で扉の開度が９０度未満になって扉が閉まって本体に衝突すると、作業者が怪我したり、その際の衝撃で、扉に装着している各種の機器や本体に内蔵している各種の機器に重大な損傷が発生する恐れがある。
【０００５】
この発明は、上記のような実情に鑑み鋭意研究の結果創案されたものであり、パチスロ等の遊技機の扉と本体との着脱が容易、迅速、かつ、確実に行えるとともに、蝶番への組み付け後所定のトルク以上のトルクを与えない限り回動が制限され、パチスロ等の遊技機に取り付けた扉の開度が９０度未満の任意の開度においても扉が自重等によって自然に閉鎖する恐れがなく、しかも、所定のトルク以上のトルクを与えるべく力を入れて強制的に扉を閉じない限り、その開度を維持することのできる安全な蝶番を安価に提供することを目的としている。
【課題を解決するための手段】
【０００６】
上記課題を解決するために、この発明の蝶番は、（１）遊技機の扉に取り付けられる可動側ヒンジ部材と本体に取り付けられる固定側ヒンジ部材が複数のヒンジ機構を備え、該ヒンジ機構は連結用雄部材と連結用雌部材とからなり、前記連結用雄部材と前記連結用雌部材の連結によって前記可動側ヒンジ部材が前記固定側ヒンジ部材に対し回動可能となり、連結の解除によって前記可動側ヒンジ部材が前記固定側ヒンジ部材から分離されるようになっている蝶番であって、前記ヒンジ機構の少なくとも一つがトルクヒンジ機構であることを特徴とする。
（２）前記（１）において、前記トルクヒンジ機構の連結用雄部材を前記可動側ヒンジ部材が、連結用雌部材を前記固定側ヒンジ部材が備え、前記連結用雄部材は軸心を中心とする９０度以下の回転で重なり合う非円形断面形状の下向きの柱状突出部を有するヒンジ軸と、該ヒンジ軸を設定トルク以上のトルクでその軸心を中心に回動可能とするトルク発生手段を有し、  前記連結用雌部材は前記柱状突出部と連結可能な非円形断面形状の上向きに開口した凹部または上下に貫通する孔部を有していることが好ましい。
（３）前記（１）において、前記トルクヒンジ機構の連結用雌部材を前記可動側ヒンジ部材が、連結用雄部材を前記固定側ヒンジ部材が備え、前記連結用雌部材は軸心を中心とする９０度以下の回転で重なり合う非円形断面形状の下向きに開口した凹部を有するヒンジ軸と、該ヒンジ軸を設定トルク以上のトルクでその軸心を中心に回動可能とするトルク発生手段を有し、前記連結用雄部材は前記凹部と連結可能な非円形断面形状の上向きの柱状突出部を有していてもよい。
ここにおいて、「設定トルク以上のトルク」とは、ヒンジ軸に設定トルク以上のトルクが与えられると、ヒンジ軸がその軸心を中心に回動を開始する最小のトルクを意味する。
また、「軸心を中心とする９０度以下の回転で重なり合う非円形断面形状」の断面形状とは、軸心を中心とする３６０度／ｎ（ｎは４以上の整数）の回転で重なり合う断面形状とも表現でき、正四角形以上の正多角形（正四角形、正五角形、正六角形、正七角形、正八角形、それ以上の正多角形、星形正多角形を含む。）断面形状、スプライン形成断面形状、または、セレーション形成断面形状の断面形状等を意味するものである。
例えば、正四角形断面形状の場合は、軸心を中心とする最大９０度の回転で重なり合う非円形断面形状であり、正六角形断面形状の場合は、軸心を中心とする最大６０度の回転で重なり合う非円形断面形状である。
軸心を中心とする９０度以下の回転で重なり合う非円形断面形状は、図形的には、例えば、２つの合同正六角形を両者の中心点を一致させて重ねたとき、両者の６つの角が合致していない場合、一方の正六角形を他方の正六角形に対し中心点を中心にして時計方向または反時計方向に最大でも６０度回転させれば、６つの角が合致することを意味する（図８参照）。
なお、「柱状突出部」には、いわゆる太さが同一の柱状のものだけでなく、錐状となったものも含まれ、その場合は、「凹部」も錐状となったものとなる。
（４）前記（１）、（２）または（３）において、前記可動側ヒンジ部材と固定側ヒンジ部材が、上部ヒンジ機構と下部ヒンジ機構を備え、前記上部ヒンジ機構と下部ヒンジ機構の双方が前記トルクヒンジ機構であることが好ましい。
（５）前記（２）または（３）において、前記可動側ヒンジ部材と固定側ヒンジ部材が、上部トルクヒンジ機構と下部トルクヒンジ機構を備え、一方のトルクヒンジ機構の連結用雄部材を前記可動側ヒンジ部材が、連結用雌部材を前記固定側ヒンジ部材が備え、前記連結用雄部材は軸心を中心とする９０度以下の回転で重なり合う非円形断面形状の下向きの柱状突出部を有するヒンジ軸と、該ヒンジ軸を設定トルク以上のトルクでその軸心を中心に回動可能とするトルク発生手段を有し、前記連結用雌部材は前記柱状突出部と連結可能な非円形断面形状の上向きに開口した凹部または上下に貫通する孔部を有しており、他方のトルクヒンジ機構の連結用雌部材を前記可動側ヒンジ部材が、連結用雄部材を前記固定側ヒンジ部材が備え、前記連結用雌部材は軸心を中心とする９０度以下の回転で重なり合う非円形断面形状の下向きに開口した凹部を有するヒンジ軸と、該ヒンジ軸を設定トルク以上のトルクでその軸心を中心に回動可能とするトルク発生手段を有し、前記連結用雄部材は前記凹部と連結可能な非円形断面形状の上向きの柱状突出部を有していてもよい。
（６）前記（１）、（２）または（３）において、前記可動側ヒンジ部材と固定側ヒンジ部材が、上部ヒンジ機構と下部ヒンジ機構を備え、一方のヒンジ機構がトルクヒンジ機構であり、他方のヒンジ機構はトルクを発生しないヒンジ機構であってもよい。
（７）前記（２）、（４）、（５）または（６）において、記トルクヒンジ機構のヒンジ軸の非円形断面形状の柱状突出部は、断面形状が正四角形以上の正多角形であることが好ましい。
（８）前記（７）において、前記トルクヒンジ機構のヒンジ軸の非円形断面形状の柱状突出部は、断面形状が正六角形であることがより好ましい。
（９）前記（３）、（４）、（５）または（６）において、前記トルクヒンジ機構のヒンジ軸の非円形断面形状の凹部または孔部は、断面形状が正四角形以上の正多角形であることが好ましい。
（１０）前記（９）において、前記トルクヒンジ機構のヒンジ軸の非円形断面形状の凹部または孔部は、断面形状が正六角形であることがより好ましい。
【発明の効果】
【０００７】
この発明の蝶番は、以上説明したように構成されているので、以下に記載されるような効果を奏する。
すなわち、ヒンジ機構の連結用雄部材と連結用雌部材とを連結した状態では、可動側ヒンジ部材と固定側ヒンジ部材は、複数のヒンジ機構のうちトルクヒンジ機構が一つである場合はそのトルクヒンジ機構の設定トルク以上のトルク、複数のヒンジ機構のうちトルクヒンジ機構が二つ以上である場合は具備しているトルクヒンジ機構の設定トルクの合計以上のトルク（例えば、ヒンジ機構が二つで、二つともがトルクヒンジ機構である場合は両トルクヒンジ機構の設定トルクの合計以上のトルク）を与えない限り、蝶番の開閉が制限される。従って、この蝶番を、例えば、扉の上部が後方へ傾斜したパチスロ等の遊技機に使用すると、扉の開度が９０度未満の任意の開度においても、扉が自重等によって自然に閉鎖する恐れがなく、しかも、力を入れて強制的に扉を閉じない限りその開度が維持される。
従って、点検や修理等に際して、扉を任意の開度、すなわち、９０度またはそれを僅かに超える角度に限らず、９０度未満としても、ある程度以上の開度であれば点検や修理等の作業が可能であり、また、作業者が気付かないうちに不意に扉が閉まってくるといった恐れがなく、作業者に怪我等の危険が生ずることがなく、扉が本体に衝突するといった不測の事態が起こることもなく、扉に装着している各種の機器や本体に内蔵している各種の機器に損傷を与えることがなく安全である。
蝶番は、各ヒンジ機構の連結用雄部材と連結用雌部材とを連結させたり連結を解除すれば可動側ヒンジ部材と固定側ヒンジ部材とが着脱可能となることから、遊技機の扉に可動側ヒンジ部材を取り付け、本体に固定側ヒンジ部材を取り付けた状態において、遊技機の扉を本体に組み付けるには、各ヒンジ機構の連結用雄部材と連結用雌部材を夫々連結させればよく、遊技機の扉を本体から取り外すには、各ヒンジ機構の連結用雄部材と連結用雌部材の連結を夫々解除すればよく、このような遊技機の扉と本体との組み付け、分離は、蝶番を介して容易であり、迅速、確実に行うことができる。
使用するヒンジ機構としては、連結用雄部材と連結用雌部材の連結と連結の解除が可能となっているものであればよく、市販の適宜なものを選択しても、市販の適宜のものに必要な加工等したものを使用してもよいし、この蝶番に適したものを製造して使用してもよい。
蝶番において、このようなヒンジ機構は、複数、すなわち、二つ以上使用すればよく、前述したようにヒンジ機構の少なくとも一つがトルクヒンジ機構であればよい。
トルクヒンジ機構としては、所定のトルクを発生するトルク発生手段を備えたものが採用でき、市販の適宜なものを選択しても、市販の適宜のものに必要な加工等したものを使用してもよいし、この蝶番に適したものを製造して使用してもよい。
こういったことから、この蝶番は、安価で商品価値が高い。
【０００８】
トルクヒンジ機構として、下記の（ｉ）または（ｉｉ）の構造とすると、ヒンジ軸を軸心を中心に９０度以下（すなわち、３６０度／ｎ（ｎは４以上の整数）以下）回転させるだけで、連結用雄部材と連結雌部材の連結が可能であって、連結用雄部材と連結雌部材の連結を容易、迅速、かつ、確実に行うことができる。
（ｉ）トルクヒンジ機構の連結用雄部材を可動側ヒンジ部材が、連結用雌部材を固定側ヒンジ部材が備え、連結用雄部材は軸心を中心とする９０度以下の回転で重なり合う非円形断面形状の下向きの柱状突出部を有するヒンジ軸と、該ヒンジ軸を設定トルク以上のトルクでその軸心を中心に回動可能とするトルク発生手段を有し、連結用雌部材は柱状突出部と連結可能な非円形断面形状の上向きに開口した凹部または上下に貫通する孔部を有する構造。
（ｉｉ）トルクヒンジ機構の連結用雌部材を可動側ヒンジ部材が、連結用雄部材を固定側ヒンジ部材が備え、連結用雌部材は軸心を中心とする９０度以下の回転で重なり合う非円形断面形状の下向きに開口した凹部を有するヒンジ軸と、ヒンジ軸を設定トルク以上のトルクでその軸心を中心に回動可能とするトルク発生手段を有し、連結用雄部材は前記凹部と連結可能な非円形断面形状の上向きの柱状突出部を有する構造。
（ｉ）、（ｉｉ）において、例えば、非円形断面形状が正六角形の場合は、連結用雄部材と連結雌部材とが連結可能状態でないとしても、ヒンジ軸を軸心を中心に６０度（すなわち、３６０度／６）以下回転させるだけで、連結用雄部材と連結雌部材とを連結可能状態とすることができる。
このようなトルクヒンジ機構は、連結用雄部材と連結用雌部材が堅固で故障が少なく、また、構造が簡単で安価でもある。
従って、このようなトルクヒンジ機構を採用した蝶番は、扉の本体への着脱を熟練を要さず容易に、しかも確実にかつ迅速に行うことができる。
【図面の簡単な説明】
【０００９】
【図１】この発明の蝶番の一実施の形態における可動側ヒンジ部材を示し、（ａ）は正面図、（ｂ）は平面図、（ｃ）は中央縦断面図である。
【図２】図１に示す可動側ヒンジ部材の長尺体を示し、（ａ）は正面図、（ｂ）は平面図、（ｃ）は中央縦断面図である。
【図３】図２に示す長尺体に取り付ける上部連結用雄部材を示し、（ａ）は一部破断正面図、（ｂ）は背面図、（ｃ）は左側面図、（ｄ）は平面図、（ｅ）は底面図、（ｆ）はＡ−Ａ線断面図、（ｇ）は一部破断分解正面図である。
【図４】固定側ヒンジ部材を示し、（ａ）は正面図、（ｂ）は平面図、（ｃ）は左側面図である。
【図５】図４に示す固定側ヒンジ部材の長尺体を示し、（ａ）は正面図、（ｂ）は平面図、（ｃ）は左側面図である。
【図６】図５に示す長尺体に取り付ける上部トルクヒンジ機構の連結用雌部材を示し、（ａ）は正面図、（ｂ）は平面図である。
【図７】図１の可動側ヒンジ部材と図３の固定側ヒンジ部材からなる蝶番を示す分解部分斜視図である。
【図８】図７において蝶番を組み付ける際の、上部または下部連結用雄部材の柱状突出部と上部または下部連結用雄部材の凹部の位相関係を示す説明図であって、（ａ）は位相が合致した状態、（ｂ）は位相がずれた状態を示す。
【図９】この発明の一実施の形態である蝶番を遊技機に装着した状態の説明図である。
【図１０】図９に示す遊技機の扉の開閉状態の説明図で、（ａ）は扉を９０度開いた状態、（ｂ）は扉を４５度開いた状態、（ｃ）は扉を閉めた状態を示す。
【図１１】この発明の蝶番の他の実施の形態における固定側ヒンジ部材を示し、（ａ）は正面図、（ｂ）は平面図、（ｃ）は左側面図である。
【図１２】図１１に示す固定側ヒンジ部材の長尺体を示し、（ａ）は正面図、（ｂ）は平面図、（ｃ）は左側面図である。
【図１３】図１１に示す固定側ヒンジ部材に用いる上部連結用雌部材を示し、（ａ）は正面図、（ｂ）は平面図、（ｃ）は左側面図である。
【図１４】図１１に示す固定側ヒンジ部材を用いた遊技機の扉の開閉状態の説明図で、（ａ）は扉を９０度開いた状態、（ｂ）は扉を閉めた状態を示す。
【図１５】この発明の蝶番のさらに他の実施の形態を示す分解部分斜視図である。
【図１６】図１５に示す蝶番の下部連結用雄部材を示し、（ａ）は一部破断正面図、（ｂ）は一部破断分解正面図である。
【図１７】この発明の蝶番のさらに他の実施の形態を示す分解部分斜視図である。
【図１８】図１７に示す蝶番の下部連結用雄部材を示し、（ａ）は一部破断正面図、（ｂ）は一部破断分解正面図である。
【図１９】この発明の蝶番のさらに他の実施の形態を示す分解部分斜視図である。
【図２０】図１９に示す蝶番の上部連結用雌部材を示し、（ａ）は一部破断正面図、（ｂ）は背面図、（ｃ）は左側面図、（ｄ）は平面図、（ｅ）は底面図、（ｆ）はＢ−Ｂ線断面図、（ｇ）は一部破断分解正面図である。
【図２１】図１９に示す蝶番の上部連結用雄部材を示し、（ａ）は平面図、（ｂ）は正面図である。
【図２２】この発明の蝶番のさらに他の実施の形態を示す分解部分斜視図である。
【発明を実施するための形態】
【００１０】
以下、発明を実施するための形態を示し、さらに詳しくこの発明について説明する。もちろんこの発明は以下の実施の形態によって限定されるものではない。
この発明の蝶番の一実施の形態を図１〜図７に示す。
図面に基づき説明すると、この蝶番１は、遊技機の扉に取り付けられる可動側ヒンジ部材２と本体に取り付けられる固定側ヒンジ部材３が、上部トルクヒンジ機構４と下部トルクヒンジ機構４を備えた蝶番であって、
可動側ヒンジ部材２は、断面コ字状の長尺体６の内側の上部に上部連結用雄部材７、下部に下部連結用雄部材７が設けられてなり、上部連結用雄部材７は正六角形断面形状の下向きの柱状突出部８ａを有する上部ヒンジ軸８と、上部ヒンジ軸８を設定トルク以上のトルクでその軸心を中心に回動可能とするトルク発生手段９を有し、下部連結用雄部材７は正六角形断面形状の下向きの柱状突出部８ａを有する下部ヒンジ軸８と、下部ヒンジ軸８を設定トルク以上のトルクでその軸心を中心に回動可能とするトルク発生手段９を有し、上部ヒンジ軸８の軸線と下部ヒンジ軸８の軸線は一致しており、
固定側ヒンジ部材３は、断面クランク状の長尺体１０の上部に上部連結用雌部材１１、下部に下部連結用雌部材１１が設けられてなり、上部連結用雌部材１１は上部連結用雄部材７の柱状突出部８ａと連結可能な正六角形断面形状の上向きに開口した凹部１１ａを有し、下部連結用雌部材１１は下部連結用雄部材７の柱状突出部８ａと連結可能な正六角形断面形状の上向きに開口した凹部１１ａを有しており、
上部連結用雄部材７の柱状突出部８ａと上部連結用雌部材１１の凹部１１ａ、下部連結用雄部材７の柱状突出部８ａと下部連結用雌部材１１の凹部１１ａを夫々連結させることで、可動側ヒンジ部材２が上部ヒンジ軸８と下部ヒンジ軸８の共通軸線を中心に上部トルクヒンジ機構４の設定トルクと下部トルクヒンジ機構４の設定トルクの合計以上のトルクで固定側ヒンジ部材３に対し回動可能とされ、
上部連結用雄部材７の柱状突出部８ａと上部連結用雌部材１１の凹部１１ａ、下部連結用雄部材７の柱状突出部８ａと下部連結用雌部材１１の凹部１１ａの連結を夫々解除することで、可動側ヒンジ部材２が固定側ヒンジ部材３から分離されるようになっているものである。
【００１１】
可動側ヒンジ部材２は、図１に示すように、断面コ字状の長尺体６、上部トルクヒンジ機構４における上部連結用雄部材７、下部トルクヒンジ機構４における下部連結用雄部材７を有する。
【００１２】
図２に示すように、長尺体６は、縦長矩形状の扉への取付板部６ａの左右長手方向に沿って側縁から直交して左壁板部６ｂ、これと同幅の右壁板部６ｃが前方に延設されてなり、断面コ字状を呈する。このような長尺体６は、縦長矩形状の金属板を折り曲げ加工することで容易に得ることができ、また、断面コ字状とすることで薄板であっても十分な剛性が得られる。
取付板部６ａには、上部に図３に示す上部連結用雄部材７のヒンジケースブロック１２をねじ固定するためのねじ孔１３、および、ねじ孔１３の近傍にヒンジケースブロック１２の位置決め用孔１４、１４が穿設され、下部に下部連結用雄部材７のヒンジケースブロック１２をねじ固定するためのねじ孔１３、および、ねじ孔１３の近傍にヒンジケースブロック１２の位置決め用孔１４、１４が穿設されている。
また、取付板部６ａには、扉への取り付け孔１５が長手方向に沿って複数箇所に穿設されている。
【００１３】
図３に示すように、上部連結用雄部材７は、上部ヒンジ軸８の円柱軸部８ｂとそれに続く小径軸部８ｃがヒンジケースブロック１２の上下方向に貫通する嵌挿孔１２ａに嵌挿され、トルク発生手段９によって、上部ヒンジ軸８に設定トルク以上のトルクが働かない限り上部ヒンジ軸８がその軸心を中心に回動しないようになっており、上部ヒンジ軸８の正六角形断面形状の下向きの柱状突出部８ａがヒンジケースブロック１２から下方に向け突出した構造となっている。
トルク発生手段９は、ヒンジケースブロック１２の上下方向に貫通する嵌挿孔１２ａ内側に配設されたウレタンゴム等の摩擦抵抗の大きい筒状体５に上部ヒンジ軸８の小径軸部８ｃが圧入（無理に挿通）されて構成され、上部ヒンジ軸８がその軸心を中心に回動させる際の摩擦抵抗によってトルクが発生するようになっている。
トルク発生手段は前記した構成に限られず、一般にフリーストップヒンジ等において採用されている各種の構造のトルク発生手段が採用可能である。
上部ヒンジ軸８の上端部は抜け止めかしめ等により軸線と直交する方向に拡大され、上部ヒンジ軸８に形成されたフランジ８ｄとによって、上部ヒンジ軸８がヒンジケースブロック１２から脱落しないようにされているとともに上部ヒンジ軸８の上下方向への移動が規制されている。
正六角形断面形状の下向きの柱状突出部８ａの下端から先端が円錐形となった円柱状部８ｅが延設されて、上部連結用雌部材１１の凹部１１ａへの挿入が容易となるようになっている。
ヒンジケースブロック１２には、前後方向に雌ねじ孔１２ｂが形成され、裏面に位置決め用突起１２ｃ、１２ｃが突設されている。
【００１４】
下部連結用雄部材７は、正六角形断面形状の下向きの柱状突出部８ａの軸線方向の長さが短い分、円柱状部８ｅの長さが長くされていること（図１参照）以外は上部連結用雄部材７と同一構造であることから、詳細な説明は省略する。
後述するように、上部連結用雄部材７の正六角形断面形状の柱状突出部８ａの軸線方向の長さと下部連結用雄部材７の正六角形断面形状の柱状突出部８ａの軸線方向の長さを異なる長さとしたことは、可動側ヒンジ部材２と固定側ヒンジ部材３を組み付け蝶番１とする操作が容易、迅速かつ確実に行えることによるが、これに限られず、同じ長さであってもよい。
【００１５】
可動側ヒンジ部材２は、断面コ字状の長尺体６の内側の上部に上部連結用雄部材７、下部に下部連結用雄部材７を以下のようにして装着することで組み立てられている。
すなわち、上部連結用雄部材７のヒンジケースブロック１２の裏面から突設された位置決め用突起１２ｃ、１２ｃを取付板部６ａに穿設された位置決め用孔１４、１４に合致させ、位置合わせした状態で取付板部６ａの裏側から雄ネジ２０で固定する（図１参照）。同様にして、下部連結用雄部材７のヒンジケースブロック１２の裏面から突設された位置決め用突起１２ｃ、１２ｃを取付板部６ａに穿設された位置決め用孔１４、１４に合致させ、位置合わせした状態で取付板部６ａの裏側から雄ネジ２０で固定する（図１参照）。
これによって、長尺体６の内側の上部と下部に、上部ヒンジ軸８の軸線と下部ヒンジ軸８の軸線を一致させて、上部連結用雄部材７と下部連結用雄部材７を固定することが容易、迅速にしかも正確にできる。
なお、図１においては、上部連結用雄部材７のヒンジケースブロック１２、下部連結用雄部材７のヒンジケースブロック１２と左壁板部６ｂ、右壁板部６ｃとの間の隙間は僅かであることから図示していない（以下、他図でも同様）。
【００１６】
図４に示すように、固定側ヒンジ部材３は、断面クランク状の長尺体１０、上部トルクヒンジ機構４における上部連結用雌部材１１、下部トルクヒンジ機構４における下部連結用雌部材１１を有する。
【００１７】
図５に示すように、長尺体１０は、縦長矩形状で本体への取付用の第１板部１０ａの長手方向に沿って一側縁から直交して第２板部１０ｂが前方に延出され、第２板部１０ｂの長手方向に沿って直交して第３板部１０ｃが側方に延設されて断面クランク状とされており、第３板部１０ｃの側縁上部と下部から断面Ｌ字状の延設部１０ｄ、１０ｄが夫々延設され、延設部１０ｄ、１０ｄの先端側を筒状に巻いて筒状部１０ｅ、１０ｅが夫々の中心軸線が一致するように形成されている。
筒状部１０ｅ、１０ｅは、図６に示す上部連結用雌部材１１の首部１１ｂ、下部連結用雌部材１１の首部１１ｂを夫々嵌挿・固定するためのものである。
また、第１板部１０ａには、本体への取り付け孔１６が長手方向に沿って複数箇所に穿設されている。
【００１８】
上部連結用雌部材１１は、図６に示すように、円柱状の頭部１１ｃに上部ヒンジ軸８の柱状突出部８ａと嵌合する正六角形断面形状で上向きに開口した凹部１１ａを有し、頭部１１ｃから下方に向けて小径の円柱状の首部１１ｂが延設されてなる。
正六角形断面形状の凹部１１ａの入口側は皿座ぐりが施され、上部ヒンジ軸８の先端が円錐形となった円柱状部８ｅ等が誘導されやすくなっている。
正六角形断面形状の凹部１１ａの下方は、上部ヒンジ軸８の先端が円錐形となった円柱状部８ｅの形状に合致した形状の凹所１１ｄとされているが、これに限られない。
【００１９】
下部連結用雌部材１１は、上部連結用雌部材１１と同様な構造であることから、同一番号を用い、説明を省略する。
【００２０】
固定側ヒンジ部材３は、断面クランク状の長尺体１０の上部に上部連結用雌部材１１、下部に下部連結用雌部材１１を以下のようにして装着することで組み立てられている。
すなわち、上部の筒状部１０ｅに上部連結用雌部材１１の首部１１ｂを上方から嵌挿し、首部１１ｂの下端部を筒状部１０ｅにかしめ、上部連結用雌部材１１を回動不能に固定する。同様にして、下部の筒状部１０ｅに下部連結用雌部材１１の首部１１ｂを上方から嵌挿し、首部１１ｂの下端部を筒状部１０ｅにかしめ、下部連結用雌部材１１を回動不能に固定する。
これによって、長尺体１０の上部と下部に、上部連結用雌部材１１の凹部１１ａの中心を通る上下方向の軸線と下部連結用雌部材１１の凹部１１ａの中心を通る上下方向の軸線とを一致させて、上部連結用雌部材１１と下部連結用雌部材１１を容易、迅速にしかも正確に固定することができる。
【００２１】
次に、可動側ヒンジ部材２と固定側ヒンジ部材３を組み付け、蝶番１とする操作を説明する。
図７は、蝶番１に組み付ける前の可動側ヒンジ部材２と固定側ヒンジ部材３を示し、この状態においては、可動側ヒンジ部材２を固定側ヒンジ部材３に対し、矢印ｘ方向に直線的に移動させるだけで、上部連結用雄部材７の柱状突出部８ａが上部連結用雌部材１１の凹部１１ａに、下部連結用雄部材７の柱状突出部８ａが下部連結用雌部材１１の凹部１１ａに嵌挿でき、蝶番１に組み付けることができる。
図７に示す状態は、可動側ヒンジ部材２を固定側ヒンジ部材３に対し、矢印ｘ方向に直線的に移動させるだけで、上部連結用雄部材７の柱状突出部８ａが上部連結用雌部材１１の凹部１１ａに、下部連結用雄部材７の柱状突出部８ａが下部連結用雌部材１１の凹部１１ａに嵌挿できる嵌挿可能な位置関係にあり（図８（ａ）参照）、このような状態を、以下、上部連結用雄部材７の柱状突出部８ａと上部連結用雌部材１１の凹部１１ａの位相が合致し、下部連結用雄部材７の柱状突出部８ａと下部連結用雌部材１１の凹部１１ａの位相が合致しているという（以下、上記の状態だけでなく、連結用雄部材と連結用雌部材とが連結可能な状態にあること等を「位相が合致」と表現する。）。
【００２２】
従って、図７に示す状態において、可動側ヒンジ部材２を固定側ヒンジ部材３に対し、矢印ｘ方向に直線的に移動させ、上部連結用雄部材７の柱状突出部８ａを上部連結用雌部材１１の凹部１１ａに、下部連結用雄部材７の柱状突出部８ａを下部連結用雌部材１１の凹部１１ａに嵌挿させると、上部連結用雄部材７の柱状突出部８ａと上部連結用雌部材１１の凹部１１ａ、下部連結用雄部材７の柱状突出部８ａと下部連結用雌部材１１の凹部１１ａが夫々連結し、蝶番１が組み付けられ、可動側ヒンジ部材２が上部ヒンジ軸８と下部ヒンジ軸８の共通軸線を中心に上部トルクヒンジ機構４の設定トルクと下部トルクヒンジ機構４の設定トルクの合計以上のトルクで固定側ヒンジ部材３に対し回動可能となる。
【００２３】
蝶番１に組み付けられた状態で、可動側ヒンジ部材２を固定側ヒンジ部材３に対し、矢印ｘ方向と逆方向に直線的に移動させ、上部連結用雄部材７の柱状突出部８ａを上部連結用雌部材１１の凹部１１ａ、下部連結用雄部材７の柱状突出部８ａを下部連結用雌部材１１の凹部１１ａから夫々抜き出して、連結を解除することで、可動側ヒンジ部材２が固定側ヒンジ部材３から容易にしかも迅速、確実に分離される。
【００２４】
前述したように、この蝶番１は、上部連結用雄部材７の柱状突出部８ａの軸線方向の長さより下部連結用雄部材７の柱状突出部８ａの軸線方向の長さが短く設定されていることから、上部連結用雄部材７の柱状突出部８ａと上部連結用雌部材１１の凹部１１ａとの位相、下部連結用雄部材７の柱状突出部８ａと下部連結用雌部材１１の凹部１１ａとの位相がずれている状態（図８（ｂ）は柱状突出部８ａと凹部１１ａとの位相がずれた一状態を示している。）でも、以下のようにして、蝶番１を組み付けることができる。
ここにおいては、可動側ヒンジ部材２を扉に取り付け、固定側ヒンジ部材３を本体に取り付けた状態とし、扉を本体に装着する操作として説明する
可動側ヒンジ部材２を扉に取り付け、固定側ヒンジ部材３を本体に取り付け、扉を本体に装着する際、第１段階として、上部連結用雄部材７の柱状突出部８ａを上部連結用雌部材１１の凹部１１ａに、下部連結用雄部材７の柱状突出部８ａを下部連結用雌部材１１の凹部１１ａに対向させ、矢印ｘ方向に直線的に移動させ、上部連結用雄部材７の円柱状部８ｅを上部連結用雌部材１１の凹部１１ａに、下部連結用雄部材７の円柱状部８ｅを下部連結用雌部材１１の凹部１１ａに嵌挿し、次いで、扉を上部ヒンジ軸８と下部ヒンジ軸８の共通の軸線を中心に６０度以下（図８（ｂ）の状態においては矢印ｙ方向（時計方向）へ３０度程度）回動させて、上部連結用雄部材７の柱状突出部８ａと上部連結用雌部材１１の凹部１１ａの位相を合致（図８（ａ）参照）させるだけで、上部連結用雄部材７の柱状突出部８ａが上部連結用雌部材１１の凹部１１ａに嵌挿可能となる。そこで、上部連結用雄部材７の柱状突出部８ａが上部連結用雌部材１１の凹部１１ａに嵌挿される方向（図７でいえば矢印ｘ方向）に扉を移動させることで、上部連結用雄部材７の柱状突出部８ａの途中まで上部連結用雌部材１１の凹部１１ａに嵌挿される（具体的には、上部連結用雄部材７の柱状突出部８ａと下部連結用雄部材７の柱状突出部８ａの軸線方向の長さの差分が嵌挿される。）。
この段階では、下部連結用雄部材７の柱状突出部８ａと下部連結用雌部材１１の凹部１１ａの位相がずれていることから、下部連結用雄部材７の柱状突出部８ａは下部連結用雌部材１１の凹部１１ａに嵌挿可能とはなっていない。
そこで、上部連結用雄部材７の柱状突出部８ａの途中までが上部連結用雌部材１１の凹部１１ａに嵌挿された状態において、第２段階として、上部トルクヒンジ機構４の設定トルク以上のトルクを与えるように扉を上部ヒンジ軸８と下部ヒンジ軸８の共通の軸線を中心に６０度以下回動させると、下部連結用雄部材７の柱状突出部８ａと下部連結用雌部材１１の凹部１１ａの位相が合致し、下部連結用雄部材７の柱状突出部８ａが下部連結用雌部材１１の凹部１１ａに嵌挿可能となる。
次いで、上部連結用雄部材７の柱状突出部８ａの全体が上部連結用雌部材１１の凹部１１ａに嵌挿される方向（図７でいえば矢印ｘ方向）に扉を移動させると、上部連結用雄部材７の柱状突出部８ａが上部連結用雌部材１１の凹部１１ａの更に奥まで進入するとともに、下部連結用雄部材７の柱状突出部８ａが下部連結用雌部材１１の凹部１１ａに嵌挿される。
上部連結用雄部材７の柱状突出部８ａを上部連結用雌部材１１の凹部１１ａに、下部連結用雄部材７の柱状突出部８ａを下部連結用雌部材１１の凹部１１ａに夫々嵌挿させることで、上部連結用雄部材７の柱状突出部８ａと上部連結用雌部材１１の凹部１１ａ、下部連結用雄部材７の柱状突出部８ａと下部連結用雌部材１１の凹部１１ａが夫々連結し、蝶番１が組み付けられ、扉が本体に装着され、扉が上部ヒンジ軸８と下部ヒンジ軸８の共通軸線を中心に上部トルクヒンジ機構４の設定トルクと下部トルクヒンジ機構４の設定トルクの合計以上のトルクで本体に対し回動可能となる。
なお、上部トルクヒンジ機構４の設定トルクと下部トルクヒンジ機構４の設定トルクとが、同一トルク値であることは必ずしも必要とされない。
【００２５】
このようにして扉を本体に装着する操作は、前述したように、第１段階における本体に対する扉の６０度以下の回動、第２段階における本体に対する扉の６０度以下の回動といった遊技機における扉の本体に対する開閉に支障のない範囲で行うことができることから、扉を本体に装着する操作に際して、本体に対する扉の回転角度範囲が少なくて済み、作業効率がよく、熟練を要さず容易であり、正確にかつ迅速に行うことができる。
【００２６】
図９は、前記したような操作によって、扉１７が本体１８に装着された遊技機１９を示している。遊技機１９は、扉１７の上部が後方に傾斜したパチスロ等の遊技機として示している。図９において、遊技機１９の扉１７に可動側ヒンジ部材２を取り付けるねじ等は省略してあり、同様に本体１８に固定側ヒンジ部材３を取り付けるねじ等は省略している。この遊技機は、扉１７が本体１８に対し蝶番１により時計方向に開くタイプとして示されている。
なお、扉が本体に対し蝶番により反時計方向に開くタイプとする場合は、可動側ヒンジ部材、固定側ヒンジ部材を鏡面対称の構造としたものを用いればよい。
【００２７】
このように扉を本体に装着した状態において、上部トルクヒンジ機構４の設定トルクと下部トルクヒンジ機構４の設定トルクの合計以上のトルクを与えない限り、蝶番１の開閉が制限される。従って、蝶番１を扉の上部が後方へ傾斜したパチスロ等の遊技機に使用すると、扉１７の開度が９０度未満の任意の開度においても扉１７が自重等によって自然に閉鎖する恐れがなく、しかも、前記した合計トルク以上のトルクを与えるように力を入れて強制的に扉１７を閉じない限り、その開度が維持されることになる。
従って、点検や修理等に際して、扉を任意の開度、すなわち、９０度またはそれを僅かに超える角度に限らず、９０度未満としても、ある程度以上の開度であれば点検や修理等の作業が可能であり、また、作業者が気付かないうちに不意に扉が閉まってくるといった恐れがなく、作業者に怪我等の危険が生ずることがなく、扉が本体に衝突するといった不測の事態が起こることもなく、扉に装着している各種の機器や本体に内蔵している各種の機器に損傷を与えることがなく安全である。
【００２８】
図１０（ａ）は、扉の上部が後方へ傾斜したパチスロ等の遊技機において、扉１７の開度が９０度の状態を示し、（ｂ）は、扉１７の開度が９０度未満（図面では４５度）の状態を示す。前記したことから明らかなように、これら図１０（ａ）、（ｂ）の状態では、扉１７は自重等によって自然に閉鎖する恐れがなく、しかも、力を入れて強制的に扉１７を閉じない限りその開度が維持される。図１０（ｃ）は、図１０（ａ）または（ｂ）に示す状態において、扉１７が前記したトルク以上のトルクを与えられて閉鎖（開度が０度）した状態を示す。
【００２９】
このような遊技機１９において、扉１７を本体１８から分離（すなわち、可動側ヒンジ部材２と固定側ヒンジ部材３との連結を解除）するには、前述したことから明らかであるが、例えば、図１０（ａ）の扉１７の開度９０度の状態において、上部連結用雄部材７の柱状突出部８ａを上部連結用雌部材１１の凹部１１ａから、下部連結用雄部材７の柱状突出部８ａを下部連結用雌部材１１の凹部１１ａから夫々抜き出す方向（図７のｘ方向と逆方向）に扉１７を移動させればよい。
このような操作は、容易であり、迅速、確実に行うことができる。
【００３０】
この蝶番１は、上部連結用雄部材７の柱状突出部８ａの軸線方向の長さより下部連結用雄部材７の柱状突出部８ａの軸線方向の長さを短くしたものとしているが、逆に、上部連結用雄部材７の柱状突出部８ａの軸線方向の長さを下部連結用雄部材７の柱状突出部８ａの軸線方向の長さより短くしたものであってもよい。
この蝶番１は、上部連結用雄部材７の柱状突出部８ａと、下部連結用雄部材７の柱状突出部８ａの断面形状を正六角形断面形状としているが、これに限られるものではなく、例えば、上部連結用雄部材７の柱状突出部８ａと、下部連結用雄部材７の柱状突出部８ａの断面形状を正四角形断面形状等としてもよい。
また、上部連結用雄部材７の柱状突出部８ａと、下部連結用雄部材７の柱状突出部８ａの断面形状が異なる断面形状、例えば、部連結用雄部材７の柱状突出部８ａの断面形状が正六角形断面形状、下部連結用雄部材７の柱状突出部８ａが正八角形断面形状であってもよい。
【００３１】
図１１〜図１４に、この発明の蝶番の他の実施の形態を示す。
この蝶番２１は、可動側ヒンジ部材として、図１に示した可動側ヒンジ部材２を使用し、固定側ヒンジ部材として、図１１に示す固定側ヒンジ部材２２を採用したものである。
【００３２】
図１１に示すように、固定側ヒンジ部材２２は、断面クランク状の長尺体２３の上部に上部連結用雄部材７の柱状突出部８ａの挿入を可能とする正六角形断面形状で上下に貫通する孔部２４ａを有する上部連結用雌部材２４と、下部に下部連結用雄部材７の柱状突出部８ａの挿入を可能とする正六角形断面形状で上下に貫通する孔部２４ａを有する下部連結用雌部材２４が、上部連結用雌部材２４の孔部２４ａと下部連結用雌部材２４の孔部２４ａの中心軸線を一致させて設けられているものである。
【００３３】
図１２に示すように、長尺体２３は、縦長矩形状で本体への取付用の第１板部２３ａの長手方向に沿って一側縁から直交して第２板部２３ｂが前方に延設され、第２板部２３ｂの長手方向に沿って側縁から直交して第３板部２３ｃが側方に延設されて断面クランク状とされ、第２板部２３ｂの上部と下部に縦長の開口２３ｄ、２３ｄが夫々設けられている。第１板部２３ａの上部には、上部連結用雌部材２４をねじ固定するためのねじ孔２５と、その近傍に上部連結用雌部材２４の位置決め用孔２６、２６が穿設され、下部には、下部連結用雌部材２４をねじ固定するためのねじ孔２５と、その近傍に下部連結用雌部材２４の位置決め用孔２６、２６が穿設されている。第１板部２３ａには、本体への取り付け孔２７が長手方向に沿って複数箇所に穿設されている。長尺体２３において、断面クランク状とすることで十分な剛性が容易に得られる。
【００３４】
図１３に示すように、上部連結用雌部材２４は、断面Ｌ字状で先端縁部に正六角形断面形状で上下に貫通する孔部２４ａを有し、後端側に長尺体２３の第１板部２３ａとの板状の固定部２４ｂを有してなり、固定部２４ｂには、ねじ孔固定側ヒンジ部材５９が形成され、その近傍に位置決め用突起２９、２９が裏面から突出されている。上部連結用雌部材２４の孔部２４ａの孔径は、可動側ヒンジ部材２の柱状突出部８ａを隙間なく受け入れることのできるサイズとされている。上部連結用雌部材２４は、ダイキャスト等によれば複雑な形状であっても安価に製造できる。
下部連結用雌部材２４も上部連結用雌部材２４と同一構造であることから、同一番号を用い、説明は省略する。
【００３５】
固定側ヒンジ部材２２は、以下のようにして組み立てればよい。
すなわち、第２板部２３ｂの上部の開口２３ｄに、上部連結用雌部材２４の固定部２４ｂを挿通し、位置決め用突起２９、２９を第１板部２３ａの位置決め用孔２６、２６に合致させ、位置合わせした状態で、固定部２４ｂの表側から雄ネジ３０で固定する。同様にして、第２板部２３ｂの下部の開口２３ｄに、下部連結用雌部材２４の固定部２４ｂを挿通し、位置決め用突起２９、２９を第１板部２３ａの位置決め用孔２６、２６に合致させ、位置合わせした状態で、固定部２４ｂの表側から雄ネジ３０で固定する。こうすることで、上部連結用雌部材２４の孔部２４ａの中心を通る軸線方向と下部連結用雌部材２４の孔部２４ａの中心を通る軸線方向とを一致させて第１板部２３ａの上部と下部に夫々上部連結用雌部材２４、下部連結用雌部材２４を固定することが容易、迅速にしかも正確にできる。
従って、固定側ヒンジ部材２２は、不良品の発生が少なく生産効率が高く、安価で商品価値が高い。
【００３６】
そうすると、図１に示す可動側ヒンジ部材２と図１１に示す固定側ヒンジ部材２２からなる蝶番２１は、以下の構造を有するといえる。なお、可動側ヒンジ部材２については、図１に示す可動側ヒンジ部材２と同一番号を用いている。
すなわち、蝶番２１は、遊技機の扉に取り付けられる可動側ヒンジ部材２と本体に取り付けられる固定側ヒンジ部材２２が、上部トルクヒンジ機構３７（図１４参照）と下部トルクヒンジ機構を備えた蝶番であって、
可動側ヒンジ部材２は、断面コ字状の長尺体６の内側の上部に上部連結用雄部材７、下部に下部連結用雄部材７が設けられてなり、上部連結用雄部材７は正六角形断面形状の下向きの柱状突出部８ａを有する上部ヒンジ軸８と、上部ヒンジ軸８を設定トルク以上のトルクでその軸心を中心に回動可能とするトルク発生手段９を有し、下部連結用雄部材７は正六角形断面形状の下向きの柱状突出部８ａを有する下部ヒンジ軸８と、下部ヒンジ軸８を設定トルク以上のトルクでその軸心を中心に回動可能とするトルク発生手段９を有し、上部ヒンジ軸８の軸線と下部ヒンジ軸８の軸線は一致しており、
固定側ヒンジ部材２２は、断面クランク状の長尺体２３の上部に上部連結用雌部材２４、下部に下部連結用雌部材２４が設けられてなり、上部連結用雌部材２４は上部連結用雄部材７の柱状突出部８ａと連結可能な正六角形断面形状で上下に貫通する孔部２４ａを有し、下部連結用雌部材２４は下部連結用雄部材７の柱状突出部８ａと連結可能な正六角形断面形状で上下に貫通する孔部２４ａを有しており、
上部連結用雄部材７の柱状突出部８ａと上部連結用雌部材２４の孔部２４ａ、下部連結用雄部材７の柱状突出部８ａと下部連結用雌部材２４の孔部２４ａを夫々連結させることで、可動側ヒンジ部材２が上部ヒンジ軸８と下部ヒンジ軸８の共通軸線を中心に上部トルクヒンジ機構３７の設定トルクと下部トルクヒンジ機構の設定トルクの合計以上のトルクで固定側ヒンジ部材２２に対し回動可能とされ、
上部連結用雄部材７の柱状突出部８ａと上部連結用雌部材２４の孔部２４ａ、下部連結用雄部材７の柱状突出部８ａと下部連結用雌部材２４の孔部２４ａの連結を夫々解除することで、可動側ヒンジ部材２が固定側ヒンジ部材２２から分離されるようになっているものである。
【００３７】
可動側ヒンジ部材２を扉に取り付け、固定側ヒンジ部材２２を本体に取り付けた状態において、扉を本体に装着する操作、扉と本体を分離する操作等は、図１〜図７に示す蝶番１について説明したと同様なことから詳細な説明は省略する。
【００３８】
扉を本体に装着した状態において、蝶番２１は、上部トルクヒンジ機構３７の設定トルクと下部トルクヒンジ機構の設定トルクの合計以上のトルクを与えない限り、蝶番２１の開閉が制限される。従って、蝶番２１を扉の上部が後方へ傾斜したパチスロ等の遊技機に使用すると、扉１７の開度が９０度未満の任意の開度においても扉１７が自重等によって自然に閉鎖する恐れがなく、しかも、前記した合計トルク以上のトルクを与えるように力を入れて強制的に扉１７を閉じない限り、その開度が維持されることになる。
従って、点検や修理等に際して、扉を任意の開度、すなわち、９０度またはそれを僅かに超える角度に限らず、９０度未満としても、ある程度以上の開度であれば点検や修理等の作業が可能であり、また、作業者が気付かないうちに不意に扉が閉まってくるといった恐れがなく、作業者に怪我等の危険が生ずることがなく、扉が本体に衝突するといった不測の事態が起こることもなく、扉に装着している各種の機器や本体に内蔵している各種の機器に損傷を与えることがなく安全である。
なお、図１４（ａ）は、扉１７が本体１８に装着されたパチスロ等の遊技機において、扉１７の開度が９０度の状態を示し、（ｂ）は、扉１７に上部トルクヒンジ機構３７の設定トルクと下部トルクヒンジ機構の設定トルクの合計以上のトルクが与えられて、閉鎖された開度が０度の状態を示す。
【００３９】
図１５は、この発明の蝶番のさらに他の実施の形態を示す分解部分斜視図である。
この蝶番３１は、図７に示す蝶番１において、下部ヒンジ機構をトルクを発生しないヒンジ機構としたものである。
トルクを発生しないヒンジ機構３２は、図１６に示す構造の下部連結用雄部材３３と図６に示した上部連結用雌部材１１と同一構造の下部連結用雌部材１１から構成される。
下部連結用雄部材３３は、トルク発生手段を有しないものであって、図３に示した上部連結用雄部材７と同一構造の下部連結用雄部材７において、筒状体５を省略した構造のものである。
すなわち、下部連結用雄部材３３は、下部ヒンジ軸３４の円柱軸部３４ａとそれに続く小径軸部３４ｂがヒンジケースブロック３５の上下方向に貫通する嵌挿孔３５ａに嵌挿され、下部ヒンジ軸３４がその軸心を中心に回動可能となっており、下部ヒンジ軸３４の正六角形断面形状の下向きの柱状突出部３４ｃがヒンジケースブロック３５から下方に向け突出した構造となっている。
その他の構造は、図３において説明した構造と同一である。
トルク発生手段を有しない連結用雄部材は、前記した構造のものに限定されないことはいうまでもない。前記したトルク発生手段を有しない連結用雄部材に代え、例えば、トルク発生手段を有しない連結用雄部材として、ヒンジケースブロックの上下方向に貫通する嵌挿孔の口径を同一径とし、ヒンジ軸の円柱軸部を尾部まで嵌挿孔の直径と同一径としたものが、例示できる。
【００４０】
そうすると、図１５に示す蝶番３１は、以下の構造を有するといえる。
なお、蝶番３１において、図７に示す蝶番１と同一構造については同一番号を付している。
すなわち、蝶番３１は、遊技機の扉に取り付けられる可動側ヒンジ部材３６と本体に取り付けられる固定側ヒンジ部材３が、上部トルクヒンジ機構４と下部のトルクを発生しないヒンジ機構３２を備えた蝶番であって、                        
可動側ヒンジ部材３６は、断面コ字状の長尺体６の内側の上部に上部連結用雄部材７、下部に下部連結用雄部材３３が設けられてなり、上部連結用雄部材７は正六角形断面形状の下向きの柱状突出部８ａを有する上部ヒンジ軸８と、上部ヒンジ軸８を設定トルク以上のトルクでその軸心を中心に回動可能とするトルク発生手段９を有し、下部連結用雄部材３３は正六角形断面形状の下向きの柱状突出部３４ｃを有する下部ヒンジ軸３４を有し、上部ヒンジ軸８の軸線と下部ヒンジ軸３４の軸線は一致しており、
固定側ヒンジ部材３は、断面クランク状の長尺体１０の上部に上部連結用雌部材１１、下部に下部連結用雌部材１１が設けられてなり、上部連結用雌部材１１は上部連結用雄部材７の柱状突出部８ａと連結可能な正六角形断面形状の上向きに開口した凹部１１ａを有し、下部連結用雌部材１１は下部連結用雄部材３３の柱状突出部３４ｃと連結可能な正六角形断面形状の上向きに開口した凹部１１ａ有しており、
上部連結用雄部材７の柱状突出部８ａと上部連結用雌部材１１の凹部１１ａ、下部連結用雄部材３３の柱状突出部３４ｃと下部連結用雌部材１１の凹部１１ａを夫々連結させることで、可動側ヒンジ部材３６が上部ヒンジ軸８と下部ヒンジ軸３４の共通軸線を中心に上部トルクヒンジ機構４の設定トルク以上のトルクで固定側ヒンジ部材３に対し回動可能とされ、
上部連結用雄部材７の柱状突出部８ａと上部連結用雌部材１１の凹部１１ａ、下部連結用雄部材３３の柱状突出部３４ｃと下部連結用雌部材１１の凹部１１ａの連結を夫々解除することで、可動側ヒンジ部材３６が固定側ヒンジ部材３から分離されるようになっているものである。
下部連結用雄部材３３の柱状突出部３４ｃの軸線方向の長さが、上部連結用雄部材７の柱状突出部８ａの軸線方向の長さより短いことは、図７における蝶番と同様である。
【００４１】
可動側ヒンジ部材３６を扉に取り付け、固定側ヒンジ部材３を本体に取り付けた状態において、扉を本体に蝶番を介して装着する操作、扉と本体の分離操作等は、図１〜図７に示す蝶番１について説明したと同様なことから詳細な説明は省略する。
【００４２】
扉を本体に装着した状態において、蝶番３１は、上部トルクヒンジ機構４の設定トルク以上のトルクを与えない限り、蝶番３１の開閉が制限される。従って、蝶番３１を扉の上部が後方へ傾斜したパチスロ等の遊技機に使用すると、扉の開度が９０度未満の任意の開度においても扉が自重等によって自然に閉鎖する恐れがなく、しかも、前記したトルク以上のトルクを与えるように力を入れて強制的に扉を閉じない限り、その開度が維持されることになる。
従って、点検や修理等に際して、扉を任意の開度、すなわち、９０度またはそれを僅かに超える角度に限らず、９０度未満としても、ある程度以上の開度であれば点検や修理等の作業が可能であり、また、作業者が気付かないうちに不意に扉が閉まってくるといった恐れがなく、作業者に怪我等の危険が生ずることがなく、扉が本体に衝突するといった不測の事態が起こることもなく、扉に装着している各種の機器や本体に内蔵している各種の機器に損傷を与えることがなく安全である。
【００４３】
この蝶番３１においては、上部ヒンジ機構をトルクヒンジ機構、下部ヒンジ機構をトルクを発生しないヒンジ機構としたが、上部ヒンジ機構をトルクを発生しないヒンジ機構、下部ヒンジ機構をトルクヒンジ機構とした蝶番であってもよい。
【００４４】
図１７は、この発明の蝶番のさらに他の実施の形態を示す分解部分斜視図である。
この蝶番４１は、図７に示す蝶番１において、下部ヒンジ機構をトルクを発生しないヒンジ機構としたものである。
トルクを発生しないヒンジ機構４２は、下部連結用雄部材として図１８に示す構造の下部連結用雄部材４３を採用している。
下部連結用雄部材４３は、下部ヒンジ軸４４の円柱軸部４４ａとそれに続く小径軸部４４ｂがヒンジケースブロック４５の上下方向に貫通する嵌挿孔４５ａに嵌挿され、下部ヒンジ軸４４がその軸心を中心に回動可能となっており、下部ヒンジ軸４４の円形断面形状の下向きの柱状突出部４４ｃがヒンジケースブロック４５から下方に向け突出した構造となっており、トルク発生手段を有していない。
その他の構造は、図３において説明した構造と同一である。
トルク発生手段を有しない連結用雄部材は、前記した構造のものに限定されないことはいうまでもない。
【００４５】
固定側ヒンジ部材４６の断面クランク状の長尺体１０の下部に形成された筒状部１０ｅは、上下方向に貫通する円形断面形状の孔を有しており、下部連結用雄部材４３の柱状突出部４４ｃが嵌挿可能な口径サイズの孔となっており、トルクを発生しないヒンジ機構４２の下部連結用雌部材に該当する。
【００４６】
そうすると、図１７に示す蝶番４１は、以下の構造を有するといえる。  
なお、蝶番４１において、図７に示す蝶番１と同一構造については同一番号を付している。
すなわち、蝶番４１は、遊技機の扉に取り付けられる可動側ヒンジ部材４７と本体に取り付けられる固定側ヒンジ部材４６が、上部トルクヒンジ機構４と下部のトルクを発生しないヒンジ機構４２を備えた蝶番であって、
可動側ヒンジ部材４７は、断面コ字状の長尺体６の内側の上部に上部連結用雄部材７、下部に下部連結用雄部材４３が設けられてなり、上部連結用雄部材７は正六角形断面形状の下向きの柱状突出部８ａを有する上部ヒンジ軸８と、上部ヒンジ軸８を設定トルク以上のトルクでその軸心を中心に回動可能とするトルク発生手段９を有し、下部連結用雄部材４３は円形断面形状の下向きの柱状突出部４４ｃを有する下部ヒンジ軸４４を有し、上部ヒンジ軸８の軸線と下部ヒンジ軸４４の軸線は一致しており、
固定側ヒンジ部材４６は、断面クランク状の長尺体１０の上部に上部連結用雌部材１１、下部に筒状部１０ｅが設けられてなり、上部連結用雌部材１１は上部連結用雄部材７の正六角形断面形状の柱状突出部８ａと連結可能な正六角形断面形状の上向きに開口した凹部１１ａを有し、筒状部１０ｅは下部連結用雄部材４３の円形断面形状の柱状突出部４４ｃと連結可能となっており、
上部連結用雄部材７の柱状突出部８ａと上部連結用雌部材１１の凹部１１ａ、下部連結用雄部材４３の柱状突出部４４ｃと筒状部１０ｅを夫々連結させることで、可動側ヒンジ部材４７が上部ヒンジ軸８と下部ヒンジ軸４４の共通軸線を中心に上部トルクヒンジ機構４の設定トルク以上のトルクで固定側ヒンジ部材４６に対し回動可能とされ、
上部連結用雄部材７の柱状突出部８ａと上部連結用雌部材１１の凹部１１ａ、下部連結用雄部材４３の柱状突出部４４ｃと筒状部１０ｅの連結を夫々解除することで、可動側ヒンジ部材４７が固定側ヒンジ部材４６から分離されるようになっているものである。
【００４７】
この蝶番４１によれば、可動側ヒンジ部材４７を扉に取り付け、固定側ヒンジ部材４６を本体に取り付け、扉を本体に装着する際、上部連結用雄部材７の柱状突出部８ａを上部連結用雌部材１１の凹部１１ａに、下部連結用雄部材４３の柱状突出部４４ｃを筒状部１０ｅに対向させ、扉を上部ヒンジ軸８と下部ヒンジ軸４４の共通の軸線を中心に６０度以下（図８（ｂ）の状態においては矢印ｙ方向（時計方向）へ３０度程度）回動させて、上部連結用雄部材７の柱状突出部８ａと上部連結用雌部材１１の凹部１１ａの位相を合致させるだけで、上部連結用雄部材７の柱状突出部８ａが上部連結用雌部材１１の凹部１１ａに嵌挿可能となる。そこで、上部連結用雄部材７の柱状突出部８ａが上部連結用雌部材１１の凹部１１ａに嵌挿される方向（図７でいえば矢印ｘ方向）に扉を移動させることで、上部連結用雄部材７の柱状突出部８ａが上部連結用雌部材１１の凹部１１ａに、下部連結用雄部材４３の柱状突出部４４ｃが筒状部１０ｅに夫々嵌挿される。
このようにして扉を本体に装着する操作は、熟練を要さず、容易、迅速かつ確実に行うことができる。
【００４８】
扉を本体に装着した状態において、上部トルクヒンジ機構４の設定トルク以上のトルクを与えない限り、蝶番４１の開閉が制限される。従って、蝶番４１を扉の上部が後方へ傾斜したパチスロ等の遊技機に使用すると、扉の開度が９０度未満の任意の開度においても扉が自重等によって自然に閉鎖する恐れがなく、しかも、前記したトルク以上のトルクを与えるように力を入れて強制的に扉を閉じない限り、その開度が維持されることになる。
従って、点検や修理等に際して、扉を任意の開度、すなわち、９０度またはそれを僅かに超える角度に限らず、９０度未満としても、ある程度以上の開度であれば点検や修理等の作業が可能であり、また、作業者が気付かないうちに不意に扉が閉まってくるといった恐れがなく、作業者に怪我等の危険が生ずることがなく、扉が本体に衝突するといった不測の事態が起こることもなく、扉に装着している各種の機器や本体に内蔵している各種の機器に損傷を与えることがなく安全である。
【００４９】
扉と本体との分離操作は、扉を本体に装着したと逆方向（図１７で示せばｘ方向と逆方向）に扉を移動させればよい。
【００５０】
この蝶番４１においては、上部ヒンジ機構をトルクヒンジ機構、下部ヒンジ機構をトルクを発生しないヒンジ機構としたが、上部ヒンジ機構をトルクを発生しないヒンジ機構、下部ヒンジ機構をトルクヒンジ機構とした蝶番であってもよい。
【００５１】
図１９は、この発明の蝶番のさらに他の実施の形態を示す分解部分斜視図である。
この蝶番５１の上部トルクヒンジ機構５２は、図２０に示す構造の上部連結用雌部材５３と図２１に示す上部連結用雄部材５４とから構成される。
【００５２】
図２０に示すように、上部連結用雌部材５３は、上部ヒンジ軸５５の円柱軸部５５ａとそれに続く小径軸部５５ｂがヒンジケースブロック５６の上下方向に貫通する嵌挿孔５６ａに嵌挿され、トルク発生手段５７によって、上部ヒンジ軸５５に設定トルク以上のトルクが働かない限り上部ヒンジ軸５５がその軸心を中心に回動しないようになっており、上部ヒンジ軸５５は正六角形断面形状の下向きに開口した凹部５５ｃを有した構造となっている。
正六角形断面形状の凹部５５ｃの入口側は皿座ぐりが施され、図２１に示す上部連結用雄部材５４の先端が円錐形となった円柱状部５４ａが誘導されやすくなっている。
正六角形断面形状の凹部５５ｃから上方は、上部連結用雄部材５４の先端が円錐形となった円柱状部５４ａの形状に合致した形状の凹所５５ｄとされている。
そのほかの構造は、図３において説明した構造と同一であることから説明は省略する。
【００５３】
図２１に示すように、上部連結用雄部材５４は、フランジ５４ｂより上部側に正六角形断面形状の柱状突出部５４ｃが形成され、さらに柱状突出部５４ｃの上端から先端が円錐形となった円柱状部５４ａが延設されて、上部連結用雌部材５３の凹部５５ｃへの挿入が容易となるようにされている。
フランジ５４ｂから下方に向けて円柱状の首部５４ｄが延設されている。
【００５４】
下部トルクヒンジ機構５２は、下部連結用雌部材５３と下部連結用雄部材５４とから構成される。
下部連結用雌部材５３は、上部連結用雌部材５３と同一構造であることから、同一番号を用い説明は省略する。
下部連結用雄部材５４は、正六角形断面形状の柱状突出部５４ｃの軸線方向の長さが短い分、円柱状部５４ａの長さが長くされていること（図１９参照）以外は上部連結用雄部材５４と同一構造であることから、同一番号を用い説明は省略する。
【００５５】
可動側ヒンジ部材５８は、図２に示したと同一の断面コ字状の長尺体６の内側の上部に上部連結用雌部材５３、下部に下部連結用雌部材５３を以下のようにして装着することで組み立てられている。
すなわち、上部連結用雌部材５３のヒンジケースブロック５６の裏面から突設された位置決め用突起５６ｂ、５６ｂを断面コ字状の長尺体６の取付板部６ａに穿設された位置決め用孔に合致させ、位置合わせした状態で取付板部６ａの裏側から雄ネジで固定する。同様にして、下部連結用雌部材５３のヒンジケースブロック５６の裏面から突設された位置決め用突起５６ｂ、５６ｂを取付板部６ａに穿設された位置決め用孔に合致させ、位置合わせした状態で取付板部６ａの裏側から雄ネジで固定する。
【００５６】
固定側ヒンジ部材５９は、図５に示したと同一の断面クランク状の長尺体１０の上部に上部連結用雄部材５４、下部に下部連結用雄部材５４を以下のようにして装着することで組み立てられている。
すなわち、上部の筒状部１０ｅに上部連結用雄部材５４の首部５４ｄを上方から嵌挿し、首部５４ｄの下端部を筒状部１０ｅにかしめ、上部連結用雄部材５４を回動不能に固定する。同様にして、下部の筒状部１０ｅに下部連結用雄部材５４の首部５４ｄを上方から嵌挿し、首部５４ｄの下端部を筒状部１０ｅにかしめ、下部連結用雄部材５４を回動不能に固定する。
【００５７】
そうすると、図１９に示す蝶番５１は以下の構造を有するといえる。
なお、蝶番５１において、図７に示す蝶番１と同一構造については同一番号を付している。
すなわち、蝶番５１は、遊技機の扉に取り付けられる可動側ヒンジ部材５８と本体に取り付けられる固定側ヒンジ部材５９が、上部トルクヒンジ機構５２と下部トルクヒンジ機構５２を備えた蝶番であって、
可動側ヒンジ部材５８は、断面コ字状の長尺体６の内側の上部に上部連結用雌部材５３、下部に下部連結用雌部材５３が設けられてなり、上部連結用雌部材５３は正六角形断面形状の下向きに開口した凹部５５ｃを有する上部ヒンジ軸５５と、上部ヒンジ軸５５を設定トルク以上のトルクでその軸心を中心に回動可能とするトルク発生手段５７を有し、下部連結用雌部材５３は正六角形断面形状の下向きに開口した凹部５５ｃを有する下部ヒンジ軸５５と、下部ヒンジ軸５５を設定トルク以上のトルクでその軸心を中心に回動可能とするトルク発生手段５７を有し、上部ヒンジ軸５５の軸線と下部ヒンジ軸５５の軸線は一致しており、
固定側ヒンジ部材５９は、断面クランク状の長尺体１０の上部に上部連結用雄部材５４、下部に下部連結用雄部材５４が設けられてなり、上部連結用雄部材５４は上部連結用雌部材５３の凹部５５ｃと連結可能な正六角形断面形状の上向きの柱状突出部５４ｃを有し、下部連結用雄部材５４は下部連結用雌部材５３の凹部５５ｃと連結可能な正六角形断面形状の上向きの柱状突出部５４ｃを有しており、
上部連結用雌部材５３の凹部５５ｃと上部連結用雄部材５４の柱状突出部５４ｃ、下部連結用雌部材５３の凹部５５ｃと下部連結用雄部材５４の柱状突出部５４ｃを夫々連結させることで、可動側ヒンジ部材５８が上部ヒンジ軸５５と下部ヒンジ軸５５の共通軸線を中心に上部トルクヒンジ機構５２の設定トルクと下部トルクヒンジ機構５２の設定トルクの合計以上のトルクで固定側ヒンジ部材５９に対し回動可能とされ、
上部連結用雌部材５３の凹部５５ｃと上部連結用雄部材５４の柱状突出部５４ｃ、下部連結用雌部材５３の凹部５５ｃと下部連結用雄部材５４の柱状突出部５４ｃの連結を夫々解除することで、可動側ヒンジ部材５８が固定側ヒンジ部材５９から分離されるようになっているものである。
【００５８】
この蝶番５１は、可動側ヒンジ部材５８を扉に取り付け、固定側ヒンジ部材５９を本体に取り付けた状態において、扉を本体に蝶番を介して装着する操作、扉と本体の分離操作等は、図１〜図７に示す蝶番１について説明したと同様なことから詳細な説明は省略する。
【００５９】
この蝶番５１は、上部連結用雄部材の柱状突出部５４ｃの軸線方向の長さより下部連結用雄部材の柱状突出部５４ｃの軸線方向の長さを短くしたものとしているが、逆に、上部連結用雄部材の柱状突出部５４ｃの軸線方向の長さを下部連結用雄部材の柱状突出部５４ｃの軸線方向の長さより短くしたものであってもよい。
【００６０】
図２２は、この発明の蝶番のさらに他の実施の形態を示す分解部分斜視図である。
この蝶番６１は、図７に示す蝶番１において、上部トルクヒンジ機構７に代えて、図１９に示す蝶番５１の上部トルクヒンジ機構５２を採用したものである。
そうすると、図２２に示す蝶番６１は、以下の構造を有する。
なお、蝶番６１において、図７に示す蝶番、図１９に示す蝶番５１と同一構造については同一番号を付している。
すなわち、蝶番６１は、遊技機の扉に取り付けられる可動側ヒンジ部材６２と本体に取り付けられる固定側ヒンジ部材６３が、上部トルクヒンジ機構５２と下部トルクヒンジ機構４を備えた蝶番であって、
可動側ヒンジ部材６２は、断面コ字状の長尺体６の内側の上部に上部連結用雌部材５３、下部に下部連結用雄材７が設けられてなり、上部連結用雌部材５３は正六角形断面形状の下向きに開口した凹部５５ｃを有する上部ヒンジ軸５５と、上部ヒンジ軸５５を設定トルク以上のトルクでその軸心を中心に回動可能とするトルク発生手段５７を有し、下部連結用雄部材７は正六角形断面形状の下向きの柱状突出部８ａを有する下部ヒンジ軸８と、下部ヒンジ軸８を設定トルク以上のトルクでその軸心を中心に回動可能とするトルク発生手段９を有し、上部ヒンジ軸５５の軸線と下部ヒンジ軸８の軸線は一致しており、
固定側ヒンジ部材６３は、断面クランク状の長尺体１０の上部に上部連結用雄部材５４、下部に下部連結用雌部材１１が設けられてなり、上部連結用雄部材５４は上部連結用雌部材５３の凹部５５ｃと連結可能な正六角形断面形状の上向きの柱状突出部５４ｃを有し、下部連結用雌部材１１は下部連結用雄部材７の柱状突出部８ａと連結可能な正六角形断面形状の上向きに開口した凹部１１ｃを有しており、
上部連結用雌部材５３の凹部５５ｃと上部連結用雄部材５４の柱状突出部５４ｃ、下部連結用雄部材７の柱状突出部８ａと下部連結用雌部材１１の凹部１１ｃを夫々連結させることで、可動側ヒンジ部材６２が上部ヒンジ軸５５と下部ヒンジ軸８の共通軸線を中心に上部トルクヒンジ機構５２の設定トルクと下部トルクヒンジ機構４の設定トルクの合計以上のトルクで固定側ヒンジ部材６３に対し回動可能とされ、
上部連結用雌部材５３の凹部５５ｃと上部連結用雄部材５４の柱状突出部５４ｃ、下部連結用雄部材７の柱状突出部８ａと下部連結用雌部材１１の凹部１１ｃの連結を夫々解除することで、可動側ヒンジ部材６２が固定側ヒンジ部材６３から分離されるようになっているものである。
【００６１】
可動側ヒンジ部材６２を扉に取り付け、固定側ヒンジ部材６３を本体に取り付けた状態において、扉を本体に装着する操作、扉と本体の分離操作等は、図１〜図７に示す蝶番７、図１９に示す蝶番５１について説明したことから明らかであり、詳細な説明は省略する。
【００６２】
この蝶番６１の上部トルクヒンジ機構５２と下部トルクヒンジ機構４の上下を入れ代えた蝶番であってもよい。
【００６３】
可動側ヒンジ部材の長尺体は断面コ字状のものに限られず、固定側ヒンジ部材の長尺体は断面クランク状のものに限られるものではない。
【００６４】
以上に説明した上部と下部にヒンジ機構を有する蝶番において、少なくとも一つをトルクヒンジ機構とした場合のトルク発生手段は、可動側ヒンジ部材が備えている構造のものとしているが、これに限られず、トルク発生手段を固定側ヒンジ部材が備えている構造のものであってもよい。
【００６５】
また、以上説明した蝶番は、上部と下部にヒンジ機構を有する蝶番において、少なくとも一つをトルクヒンジ機構としたものについて説明したが、これに限られず、３つ以上のヒンジ機構（例えば、上部、中部、下部にヒンジ機構）を有する蝶番において、少なくとも一つをトルクヒンジ機構としたものであってもよい。
【符号の説明】
【００６６】
１  蝶番
２  可動側ヒンジ部材
３  固定側ヒンジ部材
４  トルクヒンジ機構
７  連結用雄部材
８  ヒンジ軸
８ａ  柱状突出部
１１  連結用雌部材
１１ａ  凹部
【図１】
2015181700.tif 000003
【図２】
2015181700.tif 000004
【図３】
2015181700.tif 000005
【図４】
2015181700.tif 000006
【図５】
2015181700.tif 000007
【図６】
2015181700.tif 000008
【図７】
2015181700.tif 000009
【図８】
2015181700.tif 000010
【図９】
2015181700.tif 000011
【図１０】
2015181700.tif 000012
【図１１】
2015181700.tif 000013
【図１２】
2015181700.tif 000014
【図１３】
2015181700.tif 000015
【図１４】
2015181700.tif 000016
【図１５】
2015181700.tif 000017
【図１６】
2015181700.tif 000018
【図１７】
2015181700.tif 000019
【図１８】
2015181700.tif 000020
【図１９】
2015181700.tif 000021
【図２０】
2015181700.tif 000022
【図２１】
2015181700.tif 000023
【図２２】
2015181700.tif 000024